(57)【要約】【課題】伸縮脚を取り付けた可搬式作業台において、伸縮脚が長く、主脚に取り付けた最下段の踏み桟までの高さが大きい場合であっても、容易かつ安全に主脚の踏み桟まで到達でき、また、主脚の踏み桟から着地できる使い勝手のよい可搬式作業台を得る。【解決手段】下部に伸縮脚７を備えた梯子状の一対の主脚３間に天板６を設けた可搬式作業台において、前記主脚３よりも短尺かつ幅狭で、支柱１間に踏み桟１０を取り付けた梯子状の補助脚８を主脚３の踏み桟２に着脱自在に吊下げた。【選択図】        図１
2010196340.tif 000002
【特許請求の範囲】
【請求項１】
下部に伸縮脚を備えた梯子状の一対の主脚間に天板を設け、支柱間に踏み桟を取り付けた梯子状の補助脚を前記主脚の踏み桟に着脱自在に吊下げた可搬式作業台において、前記補助脚には、主脚の踏み桟への掛止フックを有し、この掛止フックの上部に踏み外し防止片を外方に開くように傾斜させて形成した上部金具が取り付けられることを特徴とする可搬式作業台。
【請求項２】
前記補助脚は、水平方向に伸縮自在な伸縮管を下段の踏み桟に設け、この伸縮管の先端に主脚への係止切欠き部を形成した請求項１に記載の可搬式作業台。
【請求項３】
前記上部金具は、板状部材の一端をコ字形に切欠いて掛止フックを形成し、この掛止フックに連成させて板状部材の他端側を斜めに折り曲げて踏み外し防止片を形成する請求項１記載の可搬式作業台。
【請求項４】
前記補助脚に取り付けられる踏み桟は、主脚に取り付けた踏み桟と同じピッチで配設される請求項１記載の可搬式作業台。
【発明の詳細な説明】
【技術分野】
【０００１】
本発明は、建築工事現場、建築物の天井や壁面などの内外装作業、電気配線作業などに使用する可搬式作業台に関するものである。
【背景技術】
【０００２】
可搬式作業台には、例えば図６に示すように対向する支柱１間に複数段の踏み桟２を設けた一対の梯子状の主脚３を対向させ、この間に天板６を設けたものがある。図中５は天板６への昇降の際の安全を確保するための手掛かり棒を示す。
【０００３】
かかる可搬式作業台において、支柱１の下部に伸縮自在な伸縮脚７を設け、作業床である天板６の高さを調整可能にしたものがあり、伸縮脚７は支柱１の内部に収納可能な内管として伸縮部分を二重管構造としている（特許文献１参照）。
【０００４】
そして、伸縮脚７を含めた主脚３は、安全確保の点から法令上、転倒しにくいように開脚状態で一対の対向する支柱１の開脚角度と、主脚３の昇降面支柱角度が規定されている。
【０００５】
このため、固定部分である主脚３の部分には踏み桟２を設けることができるが、支柱１に収納される伸縮脚７の部分には踏み桟２を取り付けることができない。
【特許文献１】特開２００４−２１８３５５号公報
【発明の開示】
【発明が解決しようとする課題】
【０００６】
踏み桟２の高さ方向のピッチは一定間隔が望ましいが、伸縮脚７を伸張して使用する場合、前記したように伸縮脚７には踏み桟を取り付けることができないため、支柱１に取り付けた最下段の踏み桟２よりも下方には踏み桟が存在しないことになり、踏み桟のピッチが異なることになってしまう。
【０００７】
とくに、高所での作業が可能なように作業床である天板６の高さの可変範囲を大きく確保しようとすると、伸縮脚の伸縮代を大きくすることになるが、最高作業床高さに設定したとき、伸縮代が大きいと伸縮脚の長さが長くなり、最下段の踏み桟までの高さが大きくなる。
【０００８】
その結果、主脚に昇る際、最下段の踏み桟へは大きく足を上げて昇り、また、降りる際は、下方にのばした足の先で地面を探り、地面に足先が触れたことを確認してから降りることになる。
【０００９】
このように作業台に上るときは、足を大きく上げる必要があり、昇りづらい。また、降りるときは、最下段の踏み桟から地面までの長さが大きいと、足先が見えにくいので地面を探りながら降りることになって手間を要する。そして、急ぐ場合など、足が地面に触れる前に目検討で飛び降りると、バランスを失って落下するおそれもあり、危険である。
【００１０】
本発明は、前記従来例の不都合を解消するものとして、伸縮脚を取り付けた可搬式作業台において、伸縮脚が長く、主脚に取り付けた最下段の踏み桟までの高さが大きい場合であっても、容易かつ安全に主脚の踏み桟まで到達でき、また、主脚の踏み桟から着地でき、特に、作業台を降りるとき、主脚の踏み桟から補助脚の踏み桟へと移行する際に補助脚の踏み桟を踏み外して落下することを防止でき安全で使い勝手のよい可搬式作業台を提供するものである。
【課題を解決するための手段】
【００１１】
請求項１記載の本発明は、下部に伸縮脚を備えた梯子状の一対の主脚間に天板を設け、支柱間に踏み桟を取り付けた梯子状の補助脚を前記主脚の踏み桟に着脱自在に吊下げた可搬式作業台において、前記補助脚には、主脚の踏み桟への掛止フックを有し、この掛止フックの上部に踏み外し防止片を外方に開くように傾斜させて形成した上部金具が取り付けられることを要旨とするものである。
【００１２】
請求項１記載の本発明によれば、伸縮脚を伸張して使用する場合、伸縮脚部分で主脚の踏み桟に補助脚を取り付けることにより、踏み桟のない伸縮脚の部分に踏み桟を配置でき、主脚の最下段の踏み桟までの間に踏み桟が配設されることになって、主脚への昇降が安全かつ容易に行える。
【００１３】
請求項２記載の本発明は、前記補助脚には、主脚の踏み桟への掛止めフックを有し、この掛止めフックの上部に踏み外し防止片を外方に開くように傾斜させて形成した上部金具が取り付けられることを要旨とするものである。
【００１４】
そして、補助脚は掛止フックを主脚の踏み桟に引っ掛けるだけで主脚から吊下げられ簡単に主脚に着脱できる。また、掛止フックの上部には踏み外し防止片が外側に開くようにして形成してあるから、補助脚の横幅が主脚の横幅よりも狭くても、作業台を降りるとき、主脚の踏み桟から補助脚の踏み桟へと移行する際に補助脚の踏み桟を踏み外して落下することを防止できる。
【００１５】
請求項２記載の本発明は、前記補助脚は、水平方向に伸縮自在な伸縮管を下段の踏み桟に設け、この伸縮管の先端に主脚への係止切欠き部を形成したことを要旨とするものである。
【００１６】
請求項２記載の本発明によれば、補助脚の下段の踏み桟から外方に伸縮管を伸張し、この先端の係止切欠き部が主脚の支柱に係止されることで補助脚の下段の踏み桟が主脚に固定され、補助脚の下部が主脚に安定して固着され、振れなどが防止できる。
【００１７】
請求項３記載の本発明は、前記上部金具は、板状部材の一端をコ字形に切欠いて掛止めフックを形成し、この掛止めフックに連成させて板状部材の他端側を斜めに折り曲げて踏み外し防止片を形成することを要旨とするものである。
【００１８】
請求項３記載の本発明によれば、掛止めフックと踏み外し防止片とは上部金具として板状部材で一体に形成されるから、製作容易で、補助脚の支柱への取り付けも簡単にできる。
【００１９】
請求項４記載の本発明は、前記補助脚に取り付けられる踏み桟は、主脚に取り付けた踏み桟と同じピッチで配設されることを要旨とするものである。
【００２０】
請求項４記載の本発明によれば、補助脚に取り付けられる踏み桟は、主脚に取り付けた踏み桟と同じピッチで配設されるから、作業台を昇降する際、補助脚から主脚へ、また、主脚から補助脚へと移行するときに同じ足幅で昇降でき、昇降動作がスムーズ、安全に行える。
【発明の効果】
【００２１】
以上述べたように本発明の可搬式作業台は、伸縮脚を取り付けた可搬式作業台において、伸縮脚の部分に補助脚を着脱自在に吊下げたから、伸縮脚が長く、主脚に取り付けた最下段の踏み桟までの高さが大きい場合であっても、補助脚を使用することにより、容易かつ安全に主脚の踏み桟まで到達でき、また、主脚の踏み桟から着地でき、特に、作業台を降りるとき、主脚の踏み桟から補助脚の踏み桟へと移行する際に補助脚の踏み桟を踏み外して落下することを防止でき安全で使い勝手のよいものである。
【発明を実施するための最良の形態】
【００２２】
以下、図面について本発明の実施形態を詳細に説明する。図１は本発明の可搬式作業台の実施形態を示す要部である主脚の正面図、図２は同上側面図、図３は同上要部である補助脚の正面図で、可搬式作業台の構成は前記図６に示したものと基本構造は同様であるから同一の参照符号を付してここでの詳細な説明は省略する。
【００２３】
本発明の可搬式作業台も、一対の支柱１の間に適宜間隔で踏み桟２を配設した主脚３の支柱１の下部には伸縮脚７が伸縮自在に取り付けられており、この伸縮脚７は作業床である天板の高さ位置を高くできるように図示の例では例えば約１ｍもの長さの大きいものになっている。よって、伸縮脚７を伸張した状態では、主脚３の最下段の踏み桟２までの高さが１ｍ程度の高さとなる。
【００２４】
かかる可搬式作業台において、本発明では主脚３の踏み桟２に着脱自在な補助脚８を設けた。
【００２５】
この補助脚８は、図３、図４にも示すように本体を一対の並行に対向する支柱９間に踏み桟１０を、主脚３に取り付けた踏み桟２の配設間隔と同じ間隔で複数段取り付けた梯子状のもので、高さは、主脚３の最下段の踏み桟２から接地面までの高さにほぼ等しく形成し、横幅は主脚１，１間の幅よりも狭く形成する。
【００２６】
かかる補助脚８の支柱９の上部に上部金具１１を取り付ける。この上部金具１１は主脚３の最下段の踏み桟２への掛止めフック１２を有し、この掛止めフック１２の上部に踏み外し防止片１３を外方に開くように傾斜させて形成したもので、板状部材の一端をコ字形に切欠いて掛止めフック１２を形成し、この掛止めフック１２に連成させて板状部材の他端側を斜めに折り曲げて踏み外し防止片１３とした。
【００２７】
この上部金具１１を補助脚８の支柱９に取り付けた状態で、掛止めフック１２が支柱９の背面側に下向きに突出し、踏み外し防止片１３が支柱１に向かって外側にひらくように斜めに突出する。
【００２８】
補助脚８の下段の踏み桟１０位置には、二重管構造の伸縮管１４を水平に取り付ける。この伸縮管１４は図５に示すように鞘管１４ａ内に内管１４ｂをスライド自在に収納したもので、内管１４ｂの先端に主脚３の支柱１への取り付け部としてコ字形の係止切欠き部１５を有するアングル状の金具を取り付けた。図中１６は、内管１４ｂを鞘管１４ａに対して所定位置で固定するためのネジ構造の固定ノブを示す。
【００２９】
かかる補助脚８を主脚３に取り付ける方法を説明する。主脚３は、伸縮脚７が伸張され、最下段の踏み桟２が地上から約１ｍの高さにあり、この踏み桟２に直接昇降するのは困難な場合に、補助脚８を使用する。
【００３０】
補助脚８の上部金具１１の掛止めフック１２を主脚３の最下段の踏み桟２に引っ掛け、補助脚８を踏み桟２から吊下げる。
【００３１】
次いで補助脚８の下部の伸縮管１４の内管１４ｂを鞘管１４ａから引き出して伸張し、先端の係止切欠き部１５を主脚３の支柱１に嵌合し、この位置で固定ノブ１６を締めて内管１４ｂを鞘管１４ａに固定し、これにより、伸縮管１４を支柱１に固定する。
【００３２】
このようにして補助脚８が取り付けられた主脚３に昇るには、補助脚８の踏み桟１０を使用して昇れば、足を高く上げることなく、主脚３の最下段の踏み桟２に容易に到達できる。
【００３３】
また、主脚３から設置面に降りるには、主脚３の最下段の踏み桟２に到達した後、補助脚８の踏み桟１０に移ればよい。この場合、主脚３の踏み桟２と補助脚８の踏み桟１０とは同じピッチで配設してあるから、主脚３から補助脚８に移行する際に違和感を生じる事がない。そして、高所から足元を探りながら降りることもなくなるので、バランスを崩して落下することもなく安全である。
【００３４】
また、補助脚８の上部金具１１には踏み外し防止片１３が設けてあるから、主脚３の横幅よりも補助脚８の横幅の方が狭くても、主脚３の最下段の踏み桟２に降りるときに踏み外し防止片１３が足を支柱１間の中央の方に案内するから、次に補助脚８の踏み桟１０に確実に移行できる。よって、主脚３の最下段の踏み桟２から補助脚８の上段の踏み桟１０へと足を踏み外すことなく、安全に確実に下降できる。
【図面の簡単な説明】
【００３５】
【図１】本発明の可搬式作業台の実施形態を示す要部である主脚の正面図である。
【図２】本発明の可搬式作業台の実施形態を示す要部である主脚の側面図である。
【図３】本発明の可搬式作業台の実施形態を示す要部である補助脚の正面図である。
【図４】本発明の可搬式作業台の実施形態を示す要部である補助脚の側面図である。
【図５】本発明の可搬式作業台の実施形態を示す伸縮管の説明図である。
【図６】可搬式作業台の斜視図である。
【符号の説明】
【００３６】
１  支柱                        ２  踏み桟
３  主脚                        ４  ステイ
５  手掛かり棒                  ６  天板
７  伸縮脚                      ８  補助脚
９  支柱                        １０  踏み桟
１１  上部金具                  １２  掛止めフック
１３  踏み外し防止片            １４  伸縮管
１４ａ  鞘管                    １４ｂ  内管
１５  係止切欠き部              １６  固定ノブ
【図１】
2010196340.tif 000003
【図２】
2010196340.tif 000004
【図３】
2010196340.tif 000005
【図４】
2010196340.tif 000006
【図５】
2010196340.tif 000007
【図６】
2010196340.tif 000008